(57)【要約】 【課題】                  例えばパチンコ機等の遊技機の外枠に好適で、固定枠に容易かつ確実に取り付けられ、種々の機種の取り付けに容易に対応できるとともに、パチンコ機等のモデルチェンジ時に外枠部品の再利用を図れ、その有効利用と設備費の低減を促し、廃棄資材の低減を図れるようにした遊技機等の取り付け枠を提供すること。【解決手段】    固定枠１,２に取り付け可能な第１の枠体３を設ける。  前記第１の枠体３の一側の上下位置に蝶番５２,５５を取り付ける。  前記蝶番５２,５５に第２の枠体６６の一側を回動かつ連結可能にした遊技機等の取り付け枠であること。  前記第１の枠体３に開口部８,１６を設ける。  前記開口部８,１６に臨ませて連結片１３,１９を着脱可能に装着する。  前記連結片１３,１９を介して前記第１の枠体３を前記固定枠１,２に取り付け可能にする。  【選択図】図２
2007143596.tif 000002
【特許請求の範囲】
【請求項１】
固定枠に取り付け可能な第１の枠体を設け、該第１の枠体の一側の上下位置に蝶番を取り付け、該蝶番に第２の枠体の一側を回動かつ連結可能にした遊技機等の取り付け枠において、前記第１の枠体に開口部を設け、該開口部に臨ませて連結片を着脱可能に装着し、該連結片を介して前記第１の枠体を前記固定枠に取り付け可能にしたことを特徴とする遊技機等の取り付け枠。
【請求項２】
前記連結片と固定枠とが木製である請求項１記載の遊技機等の取り付け枠。
【請求項３】
前記第１の枠体を矩形に形成し、該第１の枠体を上下枠と左右の横枠とで着脱可能に連結した請求項１記載の遊技機等の取り付け枠。
【請求項４】
前記第１の枠体の上下枠に開口部を設け、該開口部を前記固定枠に対向配置した請求項３記載の遊技機等の取り付け枠。
【請求項５】
前記上下枠と左右の横枠の両端部を補強金具を介して連結し、該補強金具の間に前記連結片を係合可能に配置した請求項３記載の遊技機等の取り付け枠。
【請求項６】
前記横枠の一方に複数の係止片を摺動かつ位置調整可能に取り付けた請求項３記載の遊技機等の取り付け枠。
【請求項７】
前記下枠に支持板を摺動かつ位置調整可能に取り付け、前記支持板を前記第２の枠体の下面に係合可能に配置した請求項３記載の遊技機等の取り付け枠。
【発明の詳細な説明】
【技術分野】
【０００１】
本発明は、例えばパチンコ機等の遊技機の外枠に好適で、固定枠に容易かつ確実に取り付けられ、各メーカーおよび機種毎の取り付けに容易に対応できるとともに、パチンコ機等のモデルチェンジ時に外枠およびその主要部品の再利用を図れ、その有効利用と廃棄資材の低減を図れるようにした、遊技機等の取り付け枠に関する。
【背景技術】
【０００２】
例えば従来のパチンコ機は、片側の上下位置に蝶番を取り付けた木製の外枠と、該蝶番に後端部を回動可能に取り付けた木製の内枠と、該内枠に組み付けた遊技盤と遊戯機構とを備え、前記パチンコ機を設置する際は、室内の所定位置に木製の固定枠を上下位置に取り付け、該固定枠の内面に釘または木ネジを介して前記外枠を簡便に取り付け、該外枠に内枠を介して遊技盤と遊戯機構とを取り付け、パチンコ機のモデルチェンジや遊技場における短期の換装周期に対応させていた。
【０００３】
すなわち、前記パチンコ機のモデルチェンジや換装時は、新旧の多数のパチンコ機の入れ替えを要するため、この入れ替え作業は簡便かつ迅速に行なう必要があった。
前記入れ替え作業は、固定枠から外枠と内枠とを取り外してパチンコ機を回収し、それらを再利用部品と廃棄部品に分別し、木材を焼却処分するとともに、旧式のパチンコ機を廃棄処分して行なっていた。
したがって、前記パチンコ機の入れ替え時は、廃棄資材の投棄量が増大し資源の有効利用に欠けて、結果的に設備費の増大を招く一方、前記分別作業は面倒で煩わしく、また木材の焼却には環境問題があって、予てよりその改善が望まれていた。
【０００４】
このような要請に応ずるものとして、外枠と内枠と蝶番の全てをリサイクル可能なアルミニウムまたはアルミニウム合金材で構成し、前記パチンコ機のモデルチェンジや換装時に、前記部品の分別を要することなく、これらを一体として再生可能にし、ゴミ等の廃棄量を低減し焼却をなくして、資源の節約と環境保護を図るようにした遊技機の本体構造がある（例えば、特許文献１参照）。
【０００５】
しかし、前記の本体構造は、外枠と内枠と蝶番の全てをアルミニウムまたはアルミニウム合金材で構成しているため、軽量化や再生化は改善されるが、型代が嵩んで高価になり、またアルミニウム製の蝶番では、大重量のパチンコ機の支持に強度上の不安があり、またこれを厚肉化して対応する場合は非常な肉厚を要して体裁が悪く、近時の薄厚化のパチンコ機には対応できない。
【０００６】
ところで、前記パチンコ機の入れ替え時に、新規なパチンコ機を設置する方法として、外枠を固定枠に取り付け後、パチンコ機を９０度回転させて保持し、その後端部下端に設けた保持孔を外枠の下端に突設した支持軸に挿入し、パチンコ機の重量を支持させた後、パチンコ機の後端部上端に設けた支持軸を、外枠の上端に設けた保持孔の割り溝に挿入し、前記支持軸を保持孔に回動可能に掛け止めるようにしたものがある（例えば、特許文献２参照）。
【０００７】
しかし、前記のものは、パチンコ機の後端部上端に設けた支持軸の一部断面形状が、保持孔の割り溝よりも幅狭の偏平状に形成されているため、横荷重を受けた際の強度に不安があり、また支持軸の回動に円滑性と安定性を欠く問題があるうえ、パチンコ機を９０度回転させた際、支持軸が割り溝から抜け出る惧れがあった。
【０００８】
このような問題を解決するものとして、パチンコ機の裏機構盤の上部に第２金具を取り付け、該金具に間隙と該間隙に連通する回動孔を形成し、前記間隙にスライド部材を摺動可能に挿入し、かつ該スライド部材をスプリングの弾性によって回動孔側へ移動可能に付勢し、前記裏機構盤を取り付ける際は、裏機構盤を遊技盤収納フレ−ムの同高位置に設けた支持軸に向けて移動し、スライド部材を支持軸に押し当てて後退させ、支持軸を回動孔の奥部へ移動後、スライド部材の先端部を支持軸に係合させ、支持軸を抜け止めするようにした機構がある（例えば、特許文献３参照）。
【０００９】
しかし、前記機構は、遊技盤収納フレ−ムが開放下の回動不安定な状態で、裏機構盤を保持し、これを前記収納フレ−ムに対向させて移動し、回動孔を支持軸へ押し当てて行なうため、不安定で作業性が悪く手間が掛かるという問題があった。
【００１０】
【特許文献１】特開平８−１４１１７７号公報
【特許文献２】登録実用新案第３０６６３０１号公報
【特許文献３】特許第２６３１８７２号公報
【発明の開示】
【発明が解決しようとする課題】
【００１１】
本発明はこのような問題を解決し、例えばパチンコ機等の遊技機の外枠に好適で、固定枠に容易かつ確実に取り付けられ、各メーカーおよび機種毎の取り付けに容易に対応できるとともに、パチンコ機等のモデルチェンジ時に外枠およびその主要部品の再利用を図れ、その有効利用と廃棄資材の低減を図れるようにした、遊技機等の取り付け枠を提供することを目的とする。
【課題を解決するための手段】
【００１２】
請求項１の発明は、固定枠に取り付け可能な第１の枠体を設け、該第１の枠体の一側の上下位置に蝶番を取り付け、該蝶番に第２の枠体の一側を回動かつ連結可能にした遊技機等の取り付け枠において、前記第１の枠体に開口部を設け、該開口部に臨ませて連結片を着脱可能に装着し、該連結片を介して前記第１の枠体を前記固定枠に取り付け可能にし、前記連結片の交換を実現し、第１の枠体の再利用とその有効利用を図れるとともに、前記開口部を介して第１の枠体を固定枠に容易に取り付けられるようにしている。
【００１３】
請求項２の発明は、前記連結片と固定枠とが木製であり、これを安価に構成するとともに、連結片と固定枠とを簡便に着脱し、第１の枠体の多量の着脱作業に応じられるようにしている。
請求項３の発明は、前記第１の枠体を矩形に形成し、該第１の枠体を上下枠と左右の横枠とで着脱可能に連結し、上下枠と横枠の再利用とその有効利用を図れるようにしている
請求項４の発明は、前記第１の枠体の上下枠に開口部を設け、該開口部を前記固定枠に対向配置し、第１の枠体を固定枠に容易に取り付けられるようにしている。
【００１４】
請求項５の発明は、前記上下枠と左右の横枠の両端部を補強金具を介して連結し、該補強金具の間に前記連結片を係合可能に配置し、該連結片を前記補強金具を介して強固かつ安定して取り付けられるようにしている。
請求項６の発明は、前記横枠の一方に複数の係止片を摺動かつ位置調整可能に取り付け、前記係止片を例えばパチンコ機における出玉制御装置のロック機構に連係するフックに適用することによって、パチンコ機メーカーやパチンコの機種に応じた位置調整に容易に対応可能にしている。
請求項７の発明は、前記下枠に支持板を摺動かつ位置調整可能に取り付け、前記支持板を前記第２の枠体の下面に係合可能に配置し、第２の枠体の重量による沈み込み防止に対し、パチンコ機メーカーやパチンコの機種毎に応じて適切かつ容易に対応可能にしている
【発明の効果】
【００１５】
請求項１の発明は請求項１の発明は、第１の枠体に開口部を設け、該開口部に臨ませて連結片を着脱可能に装着し、該連結片を介して前記第１の枠体を前記固定枠に取り付け可能にしたから、前記連結片の交換を実現し、第１の枠体の再利用とその有効利用を図れるとともに、前記開口部を介して第１の枠体を固定枠に容易に取り付けることができる。
請求項２の発明は、前記連結片と固定枠とが木製であるから、これを安価に構成できるとともに、連結片と固定枠とを簡便に着脱することができ、第１の枠体の多量の着脱作業に応じられ効果がある。
【００１６】
請求項３の発明は、前記第１の枠体を矩形に形成し、該第１の枠体を上下枠と左右の横枠とで着脱可能に連結したから、上下枠と横枠の再利用とその有効利用を図ることができる。
請求項４の発明は、前記第１の枠体の上下枠に開口部を設け、該開口部を前記固定枠に対向配置したから、第１の枠体を固定枠に容易に取り付けることができる。
請求項５の発明は、前記上下枠と左右の横枠の両端部を補強金具を介して連結し、該補強金具の間に前記連結片を係合可能に配置したから、連結片を強固かつ安定して取り付けることができる。
【００１７】
請求項６の発明は、前記横枠の一方に複数の係止片を摺動かつ位置調整可能に取り付けたから、前記係止片を例えばパチンコ機における出玉制御装置のロック機構に連係するフックに適用することによって、パチンコ機メーカーやパチンコの機種に応じた位置調整に容易に対応することができる。
請求項７の発明は、前記下枠に支持板を摺動かつ位置調整可能に取り付け、前記支持板を前記第２の枠体の下面に係合可能に配置したから、第２の枠体の重量による沈み込み防止に対し、パチンコ機メーカーやパチンコの機種毎に適切かつ容易に対応することができる。
【発明を実施するための最良の形態】
【００１８】
以下、本発明を室内遊技場に設置した遊技機であるパチンコ機に適用した図示の実施形態について説明すると、図１乃至図１６において１,２は室内遊技場の所定位置に架設した上下一対の木製の固定枠で、該固定枠１,２の間に第１の枠体である複数の外枠３が隣接して取り付けられている。
前記外枠３は、押し出し成形されたアルミニウム製の上下枠４,５と、同質の左右の横枠６,７とを縦長矩形に連結して形成され、その四隅を後述の蝶番または補強金具で補強している。
【００１９】
前記上枠４は図２〜図５のように略横長板状に成形され、その中間部に開口部である長尺の長孔８が形成され、その両端部に複数の通孔９が形成されている。この場合、長孔８の代わりに釘等の打ち込み位置に複数の透孔を形成することも可能である。
前記上枠４の一側面、実施形態では下面に、略Ｌ字形断面の複数のリブ１０〜１２が突設され、このうちリブ１０,１１は前記長孔８に臨ませて左右対称に配置され、それらの間に木製の連結片１３が挿入されて保持されている。
【００２０】
前記連結片１３は、前記リブ１０,１１の間に挿入可能な横長矩形断面に形成され、その長さは上下枠４,５の長さよりも、後述する内側のコ−ナ金具の一辺の二倍分短く形成されていて、その下側から複数の釘または木ネジ等の固定具１４、実施形態では釘を前記固定枠１に打ち込んで、上枠４を固定枠１に固定している。
図中、１５は上枠４の後端部に形成された切欠部で、賞球受け皿（図示略）に近接配置されている。
【００２１】
前記下枠５は図２および図６のように略Ｌ字断面の型枠状に成形され、その中間部に前述の長孔８と同様な開口部である長孔１６が形成され、その両端部に前述の通孔９と同様な複数の通孔（図示略）が形成されている。この場合、長孔１６の代わりに釘等の打ち込み位置に複数の透孔を形成することも可能である。
前記下枠５の一側面、実施形態では上面に、前記長孔１６に臨ませて略Ｌ字形断面の二つリブ１７,１８が左右対称に突設され、それらの間に木製の連結片１９が挿入されて保持されている。
【００２２】
前記連結片１９は、前記リブ１７,１８の間に挿入可能な横長矩形断面に形成され、その形状は前述の連結片１３と同形に形成されていて、その上側から複数の釘または木ネジ等の固定具２０、実施形態では釘を前記固定枠２に打ち込んで、下枠５を固定枠２に固定している。
【００２３】
前記下枠５の前部に幅広な張出枠２１が起立成形され、該枠２１の上端部にガイド溝２２が開口され、該溝２２に沿って鋼板製の支持板２３が摺動可能に取り付けられている。
前記支持板２３は、後述するパチンコ機を構成する内枠の下面に係合可能に配置され、その取り付け位置をパチンコ機メ−カ−や機種に応じて即応可能にされていて、内枠の重量による沈み込みを防止可能にしている。
すなわち、前記支持板２３は断面略コ字形に形成され、その板面に二つのビス孔２４が形成され、該ビス孔２４にビス２５が挿入されていて、その螺軸が連結板２６にねじ込まれている。
【００２４】
前記連結板２６は、張出枠２１の上端部の中空室内部に移動可能に挿入され、該連結板２５の前記ビス孔２４と対応位置に、バ−リング加工部２７が形成されている。
前記該バ−リング加工部２７にネジ孔が形成され、該ネジ孔に前記ビス２５がねじ込まれて、前記支持板２３を張出枠２１上に固定している。
図中、２８は連結板２６の両端部を直角に屈曲した脚で、前記中空室内で連結板２６を支持可能にされている。
【００２５】
前記横枠６,７は同形に形成され、これは図２および図７のように略縦長板状に成形されていて、これらが互いに離間して対向配置されている。前記横枠６,７の一側に矩形断面の中空の角形リブ２９が形成され、該リブ２９の内周面にガイド溝３０が形成され、該ガイド溝３０に沿って、鋼板製の第１の係止板３１が摺動可能に取り付けられている。
図中、４２は前記横枠６,７の中間部に角形リブ２９と同側に突設したリブ、４３は横枠６,７の両端部に複数形成した通孔である。
【００２６】
前記第１の係止板３１は、後述の第２の係止板と協働して出玉制御装置のロック機構に連係し、パチンコ玉の盗難を防止可能にしており、この第１および第２の係止板の取り付け位置を、パチンコ機メーカーないしパチンコの機種に応じて対応可能にしている。
前記第１の係止板３１に二つのビス孔３２が形成され、該ビス孔３２にビス３３が挿入されていて、その螺軸が連結板３４にねじ込まれている。
【００２７】
前記連結板３４は前記角形リブ２９の内部に移動可能に挿入され、該連結板３４の前記ビス孔３２と対応位置にバ−リング加工部３５が形成されている。前記バ−リング加工部３５にネジ孔が形成され、該ネジ孔に前記ビス３３がねじ込まれて、前記第１の係止板３１を角形リブ２９上に固定している。
【００２８】
図中、３６は連結板３４の両側を直角に屈曲した脚で、前記角形リブ２９の内部で連結板３４を支持可能にされている。３７は前記第１の係止板３１の一側を直角に屈曲した掛止片、３８は前記係止板３１の一側を略逆Ｌ字形に屈曲した係止爪で、遊技盤のフック金具（図示略）に係合可能に配置されている。
【００２９】
前記ガイド溝３０に前述した第２の係止板３９が摺動可能に取り付けられ、該係止板３９の主要部は、前記第１の係止板３１の構成と実質的に同一であり、その対応する構成部分に同一の符号を用いている。また、その摺動機構は図示を省略しているが、前記第１の係止板３１の構成と実質的に同一である。
前記第２の係止板３９は、第１の係止板３１の約２倍横長に形成され、その側端部に屈曲片４０が形成され、その先端部に舌片４１が斜状に形成されている。
【００３０】
前記上下枠４,５の両端部に横枠６,７が配置され、その隅角部は図２乃至図４のように、それらのリブを係合して堅牢に組み付けられている。
すなわち、上枠４と横枠６（７）の上端部は図３および図４のように、前記リブ１０が箱形リブ２９のガイド溝３０に係入して側壁内面に係合し、リブ１１がリブ４２に係合して配置され、その接合部の外側および内側から補強金具である内外側コ−ナ金具４４,４５が取り付けられている。
この場合、上枠４の他側端部、つまり後述する上側蝶番の取り付け側には、内側コ−ナ金具４５だけが取り付けられている。
【００３１】
前記内外側コ−ナ金具４４,４５は鋼板をプレス成形して略Ｌ字形状に屈曲され、外側のコ−ナ金具４４の周面に複数の通孔４６を形成し、内側のコ−ナ金具４５の周面に小径のビス孔４７を形成している。
そして、コ−ナ金具４４の外側からビス４８を通孔４８,９および４３に挿入し、これをビス孔４７へねじ込んで、上枠４と横枠６との接合部の内外側にコ−ナ金具４４,４５を連結している。
【００３２】
図中、４９はコ−ナ金具４４の周面に形成した補強ビ−ド、５０は内側のコ−ナ金具４５の中央に突出成形した略Ｕ字形断面の補強ビ−ドで、該補強ビ−ド５０が前記連結片９,１３の端部に係合可能に配置されている。
すなわち、前記補強ビ−ド５０は図５,６のように、上下枠４,５のビ−ド１１,１８を収容可能な幅と高さを備え、コ−ナ金具４５の取り付け時に前記ビ−ド１１,１８との接触を回避させている。
【００３３】
また、下枠５と横枠６（７）の下端部は図６のように、リブ１７が箱形リブ２９のガイド溝３０に係入して側壁内面に係合し、リブ１８がリブ３７に係合して配置され、その接合部の外側および内側から前記コ−ナ金具４４,４５が前述と同様に取り付けられている
【００３４】
図中、５１は下枠５と一体の張出枠２１の一側と、横枠６の下端部とに亘って配置した補強金具、５２は前記張出枠２１の他側と、横枠６の下端部とに亘って配置した鋼板製の下側蝶番で、その前端部に支軸５３が突設され、該支軸５３に後述の内枠の下端部に取り付けた内側下蝶番（図示略）の枢支部が回動可能に挿入されている。５４は横枠７,（６）の下端部の外面に取り付けた補強金具である。
【００３５】
前記上枠４の他側端部と横枠７の上端部との接合部に、鋼板製の上側蝶番５５が取り付けられ、該上側蝶番５５は鋼板を略Ｌ字形に屈曲し、その主片を上枠４の端部に取り付け、屈曲片５６を横枠７の上端部に取り付けている。
前記上側蝶番５５の前部に枢支盤５７が突設され、該枢支盤５７の前部に略鍵形に湾曲形成したガイド溝５８が形成され、その一端部が側方、つまり上枠４の長さ方向に開口している。
【００３６】
前記枢支盤５７の裏面に、鋼板製のロックプレ−ト５９が移動可能に連結され、該ロックプレ−ト５９に二つの長孔６０が離間して形成されている。前記長孔６０に大小異径の軸部を有する連結ピン６１が挿入され、ロックプレ−ト５９を上枠４の長さ方向に移動可能に連結している。
【００３７】
前記ロックプレ−ト５９の後端部に樋状の凹溝６２が形成され、該凹溝６２内の閉塞端と屈曲片５６との間にスプリング６３が収容され、該スプリング６３の弾性を介してロックプレ−ト５９を上枠４の長さ方向に付勢している。
図中、６４は前記ロックプレ−ト５９の一側端部に形成した屈曲片で、枢支盤５７の一側端部に係合可能にしている。６５は枢支盤５７の前部側方に突設した係合凸部で、後述の支軸と係合可能にされている。
【００３８】
この他、図中６６は遊技機であるパチンコ機６７を構成する第２の枠体である内枠で、その枢支側の基端部に略Ｌ字形断面の鋼板製の内側上蝶番６８が取り付けられ、その後端部に支軸６９が突設され、該支軸６９が前記ガイド溝５８に係入可能に配置されている。
７０,７１は内外側コ−ナ金具４４,４５に突設した位置決め用の凸部で、上下枠４,５および横枠６,７に形成した透孔７２,７３に係入可能にしている。
【００３９】
このように構成した遊技機等の取り付け枠は、遊技場に架設した上下一対の固定枠１,２に取り付け可能な外枠３を備え、該外枠３は、その一側端部にパチンコ機６７を構成する内枠６６の基端部を回動可能に連結可能にしている。
前記外枠３は、アルミニウム枠製の上下枠４,５および左右の横枠６,７と、それらの隅角部を連結する鋼板製のコ−ナ金具４４,４５と、上下枠４,５の内部に挿入する木製の連結片１３,１９とで構成される。
【００４０】
前記構成部品の製作に際しては、上下枠４,５と左右の横枠６,７とは、所定の金型を用いてアルミニウムを押し出し成形し、これを所定長さに切断するとともに、それらの中間部に長孔８,１６をプレス加工し、その両端部に通孔９,４３をプレス加工して製作する。
また、コ−ナ金具４４,４５は鋼板をプレス成形して製作し、連結片１３,１９はリブ１０,１１または１７,１８に差し込み可能な木製の角片を所定長さ、つまり上下枠４,５の長さよりコ−ナ金具４５の一辺の二倍分短く切断して製作する。
【００４１】
次に、前記製作した部品を用いて外枠３を組み立てる場合は、上下枠４,５と連結片１３,１９を用意し、連結片１３を上枠４のリブ１０,１１の間に差し込み、また連結片１９を下枠５のリブ１７,１８の間に差し込む。
このようにすると、前記連結片１３が上枠４とリブ１０,１１の端縁とで挟持され、その板面が長孔８とリブ１０,１１間とに表出する。同様に前記連結片１９が下枠４とリブ１７,１８の端縁とで挟持され、その板面が長孔１６とリブ１７,１８間とに表出する。
【００４２】
また、支持板２３と連結板２６を用意し、これを重合して、支持板２３のビス孔２４と、連結板２６のバ−リング加工部２７を位置合わせしたところで、ビス２５をビス孔２４に挿入し、かつバ−リング加工部２７のネジ孔にねじ込んで、これらを組み立てる。
そして、前記仮組み立て状態の支持板２３を保持し、該支持板２３を張出枠２１の上端部に載せ、脚２８を中空室内に挿入し、ビス２５をガイド溝２２に差し込んで、これを張出枠２１の側方から挿入し、適宜位置へ移動してビス２５をねじ込み、支持板２３を仮止めする。
【００４３】
前記仮止め後、実際にパチンコ機６７に応じて支持板２３の取り付け位置を変更し調整する場合は、ビス２５を緩めて前記支持板２３をガイド溝２２に沿って移動し、その所定位置でビス２５をねじ込んで固定すれば良い。
したがって、パチンコ機メーカーないしパチンコの機種に応じて、支持板２３の取り付け位置を容易に変更し得、前記メーカーの指定する内枠６６の沈み込み防止位置に容易に取り付けられる。
【００４４】
次に、一方の横枠６を用意し、これに第１および第２の係止板３１,３９を取り付ける
この要領は前述の支持板２３の取り付けと実質的に同一である。
先ず、第１の係止板３１を取り付ける場合は、第１の係止板３１と連結板３４を用意し、これを重合して、第１の係止板３１のビス孔３２と、連結板３４のバ−リング加工部３５を位置合わせしたところで、ビス３３をビス孔３２に挿入し、かつバ−リング加工部３５のネジ孔にねじ込んで、これらを組み立てる。
【００４５】
そして、前記仮組み立て状態の第１の係止板３１を保持し、該係止板３１を角形リブ２９上に載せ、脚３６を前記リブ２９内に挿入し、ビス３３をガイド溝３０に差し込んで、これを横枠６の側方から挿入し、適宜位置へ移動してビス３３をねじ込み、第１の係止板３１を仮止めする。
第２の係止板３９の取り付けは、第１の係止板３１の取り付けと前後して行ない、その要領は第１の係止板３１の取り付けと実質的に同一である。
【００４６】
前記取り付け後、実際にパチンコ機６７に応じて第１および第２の係止板３１,３９の取り付け位置を変更し調整する場合は、ビス３３を緩めて前記係止板３１,３９をガイド溝３０に沿って移動し、その所定位置でビス３３をねじ込んで固定すれば良い。
したがって、パチンコ機メ−カないしパチンコの機種に応じて、第１および第２の係止板３１,３９の取り付け位置を容易に変更し調整し得る。
【００４７】
こうして、上下枠４,５に連結片１３,１９を取り付け、下枠５に支持板２３を取り付け、また横枠６に第１および第２の係止板３１,３９を取り付け後、上下枠４,５と左右の横枠６,７の四隅を連結する。前記連結に際しては、内外側コ−ナ金具４４,４５と上側蝶番５５を用意する。
【００４８】
先ず、上枠４の一端部と横枠６の上端部を連結する場合は、それらの端部を接合し、それらの各リブを係合する。すなわち、リブ１０を箱形リブ２９のガイド溝３０に係入させて側壁内面に係合し、リブ１１をリブ４２に係合して配置する。
次に、コ−ナ金具４４,４５に形成した凸部７０,７１を上枠４および横枠６に形成した透孔７２,７３に挿入し、それらを位置決めする。この状況は図４のようである。
【００４９】
その際、内側のコ−ナ金具４５は、上枠４のビ−ド１１を内側に収容して補強ビ−ド５０を配置するから、それらが接触することはない。この後、ビス４８を上枠４および横枠６の通孔９,４３に挿入し、これをコ−ナ金具４５のビス孔４７にねじ込んで固定する。
この状況は図３乃至図５のようである。したがって、上枠４と横枠６の上端部は前記リブ１０〜１２と２９,４２とが緊密に係合し、これらがコ−ナ金具４４,４５で接続されて強固に連結される。
【００５０】
また、連結片１３は図５のように、その一端部がコ−ナ金具４５の補強ビ−ド５０の端部と係合可能に配置されるから、ガタツキの心配はない。
【００５１】
次に、下枠５の一端部と横枠６の下端部を連結する場合は、それらの端部を接合し、それらの各リブを係合する。すなわち、リブ１７を箱形リブ２９のガイド溝３０に係入させて側壁内面に係合し、リブ１８をリブ４２に係合して配置する。
そして、前述と同じ要領で、コ−ナ金具４４,４５に形成した凸部７０,７１を上枠４および横枠６に形成した透孔７２,７３に挿入し、それらを位置決めする。
【００５２】
その際、内側のコ−ナ金具４５は、下枠５のビ−ド１８を内側に収容して補強ビ−ド５０を配置するから、それらが接触することはない。この後、ビス４８を下枠５および横枠６の通孔９,４３に挿入し、これをコ−ナ金具４５のビス孔４７にねじ込んで固定する。
【００５３】
したがって、下枠５と横枠６の下端部は前記リブ１０〜１２と２９,４２とが緊密に係合し、これらがコ−ナ金具４４,４５で接続されて強固に連結される。
また、連結片１９は図６のように、その一端部がコ−ナ金具４５の補強ビ−ド５０の端部と係合可能に配置されるから、他端部のコ−ナ金具４５と相俟って緊密に取り付けられる。
なお、下枠５の他側端部と横枠７の下端部も前述と同様にして接続する。
【００５４】
次に、上枠４の他側端部に横枠７の上端部を連結する場合は、それらの端部を接合し、それらの各リブを係合する。すなわち、リブ１０を箱形リブ２９のガイド溝３０に係入させて側壁内面に係合し、リブ１１をリブ４２に係合して配置する。
そして、前記上枠４の内側に前記コ−ナ金具４５を配置し、その補強ビ−ド５０の内側にビ−ド１１を収容し、該補強ビ−ド５０の端部を連結片１９に係合可能に配置し、該コ−ナ金具４５を上枠４にビス止めする。
【００５５】
この後、枢支盤５７の裏面にロックプレ−ト５９を予め取り付けた上側蝶番５５を用意し、該上側蝶番５５を上枠４の上面に取り付け、その屈曲片５６を横枠７の外側面に取り付ける。
したがって、上枠４の他側端部と横枠７の上端部は、前記リブ１０〜１２と２９,４２とが緊密に係合し、これらがコ−ナ金具４５と上側蝶番５５を介して強固に連結される。
また、連結片１３の一端部がコ−ナ金具４５の補強ビ−ド５０の端部と係合可能に配置されるから、他端部のコ−ナ金具４５と相俟って緊密に取り付けられる。
【００５６】
この後、下枠５の一端部と横枠６の下端部に亘って補強枠５１を取り付け、また下枠５の他側端部と横枠７の下端部に亘って下側蝶番５２を取り付ければ、外枠３の一連の組み立てが終了する。
【００５７】
こうして組み立てた外枠３を固定枠１,２に取り付ける場合は、固定枠１,２を遊技場の所定位置に予め架設して置き、該固定枠１,２の内側に外枠３を位置付け、上枠４および下枠５の内面に表出した連結片１３,１９に釘１４,２０を打ち付け、これを固定枠１,２に打ち込む。
このようにすると、釘１４,２０を介して連結片１３,１９が固定枠１,２に固定され、上枠４および下枠５を介して外枠３が固定枠１,２に取り付けられる。
【００５８】
この後、パチンコ機６７を構成する内枠６６を外枠３に取り付ける場合は、前記内枠６６の枢着側の上下位置に、予め内側下蝶番（図示略）と内側上蝶番６８を取り付けて置く
そして、内枠６６と一体的なパチンコ機６７を保持し、これを外枠３と平行平面に位置付け、その内側下蝶番（図示略）の枢支孔を下側蝶番５２の支軸５３に挿入して、パチンコ機６７を若干前傾状態で支持する。
【００５９】
次に、パチンコ機６７を前記姿勢を維持して外枠３に近接させ、内側上蝶番６８に突設した支軸６９を上側蝶番５５のガイド溝５８の側方に位置付ける。
この場合は、ロックプレ−ト５９がスプリング６３の弾性によって側方へ付勢され、その係合凸部６５がガイド溝５８に突出している。この状況は図１４のようである。
【００６０】
この後、パチンコ機６７を外枠３に沿って上側蝶番５５側へ移動し、支軸６９をガイド溝５８に挿入して、支軸６９を係合凸部６５に係合し、該係合凸部６５をスプリング６３の弾性に抗して奥部へ押し込む。この状況は図１５のようである。
【００６１】
そこで、係合凸部６５を更に同方向へ押し込むと、支軸６９が係合凸部６５の先端部を滑動して、ガイド溝５８の湾曲した端部位置へ移動し、支軸６９と係合凸部６５との係合が解除される。
このため、ロックプレ−ト５９がスプリング６３の弾性によって、ガイド溝５８の開口方向へ移動し、係合凸部６５が同方向へ移動して支軸６９に係合可能に近接移動し、支軸６９を抜け止める。この状況は図１１のようである。
【００６２】
このように内側上蝶番６８の支軸６９を上側蝶番５５のガイド溝５８に挿入する場合、外枠３が固定されているから、前記支軸６９をガイド溝５８の所定位置に容易かつ迅速に、しかも確実に設置し得る。
【００６３】
また、パチンコ機６７の遊技時、出玉故障等で内枠６６を解放する場合は、鍵（図示略）を駆使して内枠６６を支軸５３,６９を支点に手前に回動すれば良い。この状況は図１６のようである。この場合は、支軸６９と係合凸部６５の係合が維持され、支軸６９の抜け止めが維持される。
【００６４】
一方、パチンコ機６７のモデルチェンジ等の換装時は、ロックプレ−ト５９をスプリング６３の弾性に抗して押し込み、適宜工具を利用して支軸６９をガイド溝５８の奥部から引き出し、支軸６９による枢着を解除して、内枠６６ないしパチンコ機６７を持ち上げ、内側下蝶番の枢支孔を下側蝶番５２の支軸５３から引き抜き、パチンコ機６７ないし内枠６６を外枠３から取り外す。
【００６５】
この後、新規なパチンコ機６７の内枠６６の枢支部に、内側上蝶番５５と内側下蝶番（図示略）を取り付け、これらを前述の要領で上下側蝶番５５,５２に取り付ければ良い。
したがって、この場合は既設の外枠３の有効利用を図れるとともに、パチンコ機６７の入れ替えを簡便かつ安価に行なえる。
【００６６】
次に、パチンコ機６７の使用によって連結片１３,１９が損傷し、または固定枠１,２との取り付け強度が低下し、その取り替えを要する場合は、前述のようにパチンコ機６７ないし内枠６６を外枠３から取り外す。
このようにすると、上下枠４,５の内面に釘１４,２０が表出し、該釘１４,２０を適宜工具で引き抜いて、外枠３を固定枠１,２から取り外す。
【００６７】
そして、外枠３の四隅に取り付けたコ−ナ金具４４を、ビス４８を緩めて取り外し、外枠３を上下枠４,５と横枠６,７、各コ−ナ金具４４,４５毎に解体する。
この後、上下枠４,５のリブ１０,１１と１７,１８から連結片１３,１９を引き抜き、これを取り外せば、外枠３は各構成部品に解体される。
【００６８】
その際、各構成部品の再利用や取り替えを適宜選択し、必要に応じて新規な上下枠４,５や横枠６，７、コーナー金具４４，４５に取り替え、前記連結片１３,１９を新規な連結片１３,１９に取り替えて、これを上下枠４,５のリブ１０,１１と１７,１８間に差し込めば、新旧部品を混用した新たな外枠３が組み立てられる。
したがって、前記旧部品の利用分、構成部品の有効利用を図れ、設備費の低減と廃棄資材の投棄量の低減を図れる。
【００６９】
この場合、外枠３およびその一部の部品を再利用しても、外枠３は固定枠１,２で表面が隠蔽され、その内面は通常はパチンコ機６７で隠蔽されているから、体裁を損なうことはない。
【産業上の利用可能性】
【００７０】
このように本発明の遊技機等の取り付け枠は、固定枠に容易かつ確実に取り付けられ、各メーカーおよび機種毎の取り付けに容易に対応できるとともに、パチンコ機等のモデルチェンジ時に外枠およびその主要部品の再利用を図れ、その有効利用と廃棄資材の低減を図れるから、例えばパチンコ機等の遊技機の外枠に好適である。
【図面の簡単な説明】
【００７１】
【図１】本発明を適用したパチンコ機の外枠の取り付け状況を示す正面図で、固定枠に外枠を取り付け、該外枠にパチンコ機を取り付けている状況を示している。
【図２】本発明を適用したパチンコ機の外枠を拡大して示す斜視図で、上下に木製の固定枠を配置している。
【図３】本発明の上枠と横枠の連結状況の要部を拡大して示す斜視図である。
【図４】本発明の上枠と横枠の連結状況の要部を更に拡大して示す斜視図である。
【００７２】
【図５】図２のＡ−Ａ線に沿う断面図で、若干拡大して示している。
【図６】図２のＢ−Ｂ線に沿う断面図で、若干拡大して示している。
【図７】図２のＣ−Ｃ線に沿う断面図で、若干拡大して示している。
【図８】本発明に適用した第１の係止板を拡大して示す斜視図である。
【図９】本発明に適用した第１および第２の係止板の取り付け状況を拡大して示す斜視図である。
【００７３】
【図１０】本発明に適用した第２の係止板を拡大して示す斜視図である。
【図１１】本発明の外枠に取り付けた上側蝶番を拡大して示す斜視図である。
【図１２】本発明の外枠に取り付けた上側蝶番を分解して示す斜視図である。
【図１３】本発明の外枠に取り付けた上側蝶番に組み付けたロックプレ−トを下方から見た斜視図である。
【図１４】本発明の外枠に取り付けた上側蝶番と、その内側蝶番との組み付け途中の状況を示す斜視図である。
【００７４】
【図１５】本発明の外枠に取り付けた上側蝶番と、その内側蝶番との組み付け途中の状況を示す斜視図で、支軸がガイド溝に係入している。
【図１６】本発明の外枠に取り付けた上側蝶番と、その内側蝶番との組み付け後に、内枠を回動した状況を示す斜視図である。
【符号の説明】
【００７５】
１,２           固定枠
３              第１の枠体（外枠）
８              開口部（長孔）
１６            開口部（長孔）
１３,１９       連結片
２３            支持板
【００７６】
３１            第１の係止片
３９            第２の係止片
４４,４５       補強金具
５２            蝶番（下側蝶番）
５５            蝶番（上側蝶番）
６６            第２の枠体（内枠）
【図１】
2007143596.tif 000003
【図２】
2007143596.tif 000004
【図３】
2007143596.tif 000005
【図４】
2007143596.tif 000006
【図５】
2007143596.tif 000007
【図６】
2007143596.tif 000008
【図７】
2007143596.tif 000009
【図８】
2007143596.tif 000010
【図９】
2007143596.tif 000011
【図１０】
2007143596.tif 000012
【図１１】
2007143596.tif 000013
【図１２】
2007143596.tif 000014
【図１３】
2007143596.tif 000015
【図１４】
2007143596.tif 000016
【図１５】
2007143596.tif 000017
【図１６】
2007143596.tif 000018